【手続補正書】
【提出日】令和3年4月27日(2021.4.27)
【手続補正１】
【補正対象書類名】特許請求の範囲
【補正対象項目名】全文
【補正方法】変更
【補正の内容】
【特許請求の範囲】
【請求項１】
生検デバイスから切断された組織サンプルを受け取り、撮像するために構成された組織保持器アセンブリであって、前記保持器アセンブリは、
基部と、
前記基部上に取り外し可能に取り付いているカバーであって、前記基部および取り付けられたカバーは、内部を画定し、前記基部は、前記基部におけるそれぞれの真空ポートを介して前記内部と連通している１つ以上の真空管腔を有する、カバーと、
前記内部に配置された組織トレイと
を備え、
前記組織トレイは、複数の貯蔵コンパートメントを有し、前記組織トレイの底部は、フィルタ材料を備え、前記フィルタ材料は、前記それぞれの組織貯蔵コンパートメント内の流体が前記フィルタ材料を通過することを可能にし、
前記カバーは、前記カバーにおいて形成された組織サンプル進入ポートを有し、前記組織サンプル進入ポートは、前記カバーが前記基部に取り付けられたとき、前記組織サンプル進入ポートを通して吸引された切断された組織サンプルおよび流体を組織サンプル進入ポートの下に位置付けられた前記組織トレイのそれぞれの組織貯蔵コンパートメントの中に向かわせるように構成され、
前記基部は、前記カバーが前記基部に取り付けられたとき、前記組織サンプル進入ポートから円周方向に間隔を置かれた前記組織トレイの少なくとも一部の下にある隆起した面を備えている、組織保持器アセンブリ。
【請求項２】
前記隆起した面は、半径方向に外向き方向、時計回り回転方向、および反時計回り回転方向のうちの少なくとも１つにおいて前記組織トレイの底部に対して下向きに傾斜させられたランプを備え、それによって、前記フィルタ材料を通過する流体は、前記ランプを流れ下る、請求項１に記載の組織保持器アセンブリ。
【請求項３】
前記隆起した面は、前記基部と一体的に形成されている、請求項１に記載の組織保持器アセンブリ。
【請求項４】
前記隆起した面は、前記組織サンプル進入ポートの直接下にある前記内部の一部を除いて、前記内部の周囲に円周方向に延びている、請求項１に記載の組織保持器アセンブリ。
【請求項５】
前記隆起した面は、円周外周壁まで半径方向に外向きに延び、前記円周外周壁は、前記基部の底部内面から前記隆起した面まで上向きに延びており、前記円周外周壁と前記基部の外側側壁とは、環状流体流動チャネルを一緒に画定する、請求項４に記載の組織保持器アセンブリ。
【請求項６】
前記組織保持器アセンブリは、前記底部部材の前記隆起した面が少なくとも部分的に撮像器の撮像フィールド内に位置するように、前記撮像器上またはその中に搭載されるように構成されている、請求項１に記載の組織保持器アセンブリ。
【請求項７】
前記カバーの内側は、開放アーチ型コンパートメントを備え、前記開放アーチ型コンパートメントは、前記カバーが前記基部に固定されたとき、前記隆起した面の少なくとも一部の上方に位置付けられ、それによって、前記アーチ型コンパートメントは、前記組織サンプル進入ポートの下にある前記それぞれの組織貯蔵コンパートメントの中に飛散する液体から遮断される、請求項１に記載の組織保持器アセンブリ。
【請求項８】
前記１つ以上の真空管腔は、前記組織サンプル進入ポートの下に位置する第１の真空ポートと連通している第１の真空管腔と、前記第１の真空ポートから円周方向に間隔を置かれた第２の真空ポートと連通している第２の真空管腔とを備えている、請求項１に記載の組織保持器アセンブリ。
【請求項９】
前記第２の真空ポートは、前記第１の真空ポートから１８０°または約１８０°間隔を置かれている、請求項８に記載の組織保持器アセンブリ。
【請求項１０】
生検デバイスから切断された組織サンプルを受け取り、撮像するために構成された組織保持器アセンブリであって、前記組織保持器アセンブリは、
基部と、
前記基部上に取り外し可能に取り付いているカバーであって、前記基部および取り付けられたカバーは、内部を画定し、前記基部は、前記基部におけるそれぞれの真空ポートを介して前記内部と連通している１つ以上の真空管腔を有する、カバーと、
前記内部に配置された組織トレイと
を備え、
前記組織トレイは、複数の組織貯蔵コンパートメントを有し、前記組織トレイの底部は、フィルタ材料を備え、前記フィルタ材料は、前記それぞれの組織貯蔵コンパートメント内の流体が前記フィルタ材料を通過することを可能にし、
前記カバーは、前記カバーにおいて形成された組織サンプル進入ポートを有し、前記組織サンプル進入ポートは、前記カバーが前記基部に取り付けられたとき、前記組織サンプル進入ポートを通して吸引された切断された組織サンプルおよび流体を前記組織サンプル進入ポートの下に位置付けられた前記組織トレイのそれぞれの組織貯蔵コンパートメントの中に向かわせるように構成され、
前記カバーの内側は、開放アーチ型コンパートメントを備え、前記開放アーチ型コンパートメントは、前記カバーが前記基部に固定されたとき、前記隆起した面の上方に位置付けられており、それによって、前記アーチ型コンパートメントは、前記組織サンプル進入ポートの下にある前記それぞれの組織貯蔵コンパートメントの中に飛散する液体から遮断される、組織保持器アセンブリ。
【請求項１１】
前記組織保持器アセンブリは、前記アーチ型コンパートメントが少なくとも部分的に撮像器の撮像フィールド内に位置するように、前記撮像器上またはその中に搭載されるように構成されている、請求項１０に記載の組織保持器アセンブリ。
【請求項１２】
前記１つ以上の真空管腔は、前記組織サンプル進入ポートの下に位置する第１の真空ポートと連通している第１の真空管腔と、前記第１の真空ポートから円周方向に間隔を置かれた第２の真空ポートと連通している第２の真空管腔とを備えている、請求項１０に記載の組織保持器アセンブリ。
【請求項１３】
前記第２の真空ポートは、前記第１の真空ポートから１８０°または約１８０°間隔を置かれている、請求項１２に記載の組織保持器アセンブリ。
【請求項１４】
生検デバイスから切断された組織サンプルを受け取り、撮像するために構成された組織保持器アセンブリであって、前記組織保持器アセンブリは、
基部と、
前記基部上に取り外し可能に取り付いているカバーであって、前記基部および取り付けられたカバーは、内部を画定し、前記基部は、前記基部におけるそれぞれの真空ポートを介して前記内部と連通している１つ以上の真空管腔を有する、カバーと、
前記内部に配置された組織トレイと
を備え、
前記組織トレイは、複数の組織貯蔵コンパートメントを有し、
前記カバーは、前記カバーにおいて形成された組織サンプル進入ポートを有し、前記組織サンプル進入ポートは、前記カバーが前記基部に取り付けられたとき、前記組織サンプル進入ポートを通して吸引された切断された組織サンプルおよび流体を組織サンプル進入ポートの下に位置付けられた前記組織トレイのそれぞれの組織貯蔵コンパートメントの中に向かわせるように構成され、
前記基部は、前記カバーが前記基部に取り付けられたとき、前記組織サンプル進入ポートの下にある前記組織トレイの少なくとも一部の下にある隆起した流体除去リザーバを備え、前記組織トレイの底部は、流体が前記それぞれの組織貯蔵コンパートメントから前記流体除去リザーバの中に通過することを可能にするフィルタ材料を備えている、組織保持器アセンブリ。
【請求項１５】
前記流体除去リザーバは、前記組織トレイの前記フィルタ材料に接触するリザーバ流体を保持するように構成されている、請求項１４に記載の組織保持器アセンブリ。
【請求項１６】
前記組織トレイの底部および前記流体除去リザーバは、互いに対して配置され、流路がそれらの間に形成されるように構成されている、請求項１４に記載の組織保持器アセンブリ。
【請求項１７】
前記組織保持器アセンブリは、前記流体除去リザーバが前記撮像器の撮像フィールドから円周方向に間隔を置かれるように、前記撮像器上またはその中に搭載されるように構成されている、請求項１４に記載の組織保持器アセンブリ。
【手続補正２】
【補正対象書類名】明細書
【補正対象項目名】００２６
【補正方法】変更
【補正の内容】
【００２６】
故に、本明細書に説明される実施形態は、流体が組織貯蔵コンパートメント内の組織の撮像に干渉せず、それによって、組織サンプルのより良好な画像が取得されることを可能にするように、組織貯蔵コンパートメントの組織フィルタの表面から流体を除去するための革新的デバイスおよび方法を提供する。
本願明細書は、例えば、以下の項目も提供する。
（項目１）
生検デバイスから切断された組織サンプルを受け取り、撮像するために構成された組織保持器アセンブリであって、前記保持器アセンブリは、
基部と、
前記基部上に取り外し可能に取り付いているカバーであって、前記基部および取り付けられたカバーは、内部を画定し、前記基部は、前記基部におけるそれぞれの真空ポートを介して前記内部と連通している１つ以上の真空管腔を有する、カバーと、
前記内部に配置された組織トレイと
を備え、
前記組織トレイは、複数の貯蔵コンパートメントを有し、前記組織トレイの底部は、フィルタ材料を備え、前記フィルタ材料は、前記それぞれの組織貯蔵コンパートメント内の流体が前記フィルタ材料を通過することを可能にし、
前記カバーは、前記カバーにおいて形成された組織サンプル進入ポートを有し、前記組織サンプル進入ポートは、前記カバーが前記基部に取り付けられたとき、前記組織サンプル進入ポートを通して吸引された切断された組織サンプルおよび流体を組織サンプル進入ポートの下に位置付けられた前記組織トレイのそれぞれの組織貯蔵コンパートメントの中に向かわせるように構成され、
前記基部は、前記カバーが前記基部に取り付けられたとき、前記組織サンプル進入ポートから円周方向に間隔を置かれた前記組織トレイの少なくとも一部の下にある隆起した面を備えている、組織保持器アセンブリ。
（項目２）
前記隆起した面は、半径方向に外向き方向、時計回り回転方向、および反時計回り回転方向のうちの少なくとも１つにおいて前記組織トレイの底部に対して下向きに傾斜させられたランプを備え、それによって、前記フィルタ材料を通過する流体は、前記ランプを流れ下る、項目１に記載の組織保持器アセンブリ。
（項目３）
前記隆起した面は、前記基部と一体的に形成されている、項目１または２に記載の組織保持器アセンブリ。
（項目４）
前記隆起した面は、前記組織サンプル進入ポートの直接下にある前記内部の一部を除いて、前記内部の周囲に円周方向に延びている、項目１−３のいずれかに記載の組織保持器アセンブリ。
（項目５）
前記隆起した面は、円周外周壁まで半径方向に外向きに延び、前記円周外周壁は、前記基部の底部内面から前記隆起した面まで上向きに延びており、前記円周外周壁と前記基部の外側側壁とは、環状流体流動チャネルを一緒に画定する、項目４に記載の組織保持器アセンブリ。
（項目６）
前記組織保持器アセンブリは、前記底部部材の前記隆起した面が少なくとも部分的に撮像器の撮像フィールド内に位置するように、前記撮像器上またはその中に搭載されるように構成されている、項目１−３のいずれかに記載の組織保持器アセンブリ。
（項目７）
前記組織貯蔵コンパートメントは、前記組織トレイの円周の周囲に角度を形成して配置されている、項目１−６のいずれかに記載の組織保持器アセンブリ。
（項目８）
前記組織トレイは、前記基部に対して回転可能である、項目１−７のいずれかに記載の組織保持器アセンブリ。
（項目９）
前記組織トレイは、駆動部材上に取り外し可能に据えられ、前記基部の前記底部部材と直交または実質的に直交する軸周りに前記駆動部材によって選択的に回転させられるように構成されている、項目１−８のいずれかに記載の組織保持器アセンブリ。
（項目１０）
前記カバーの内側は、開放アーチ型コンパートメントを備え、前記開放アーチ型コンパートメントは、前記カバーが前記基部に固定されたとき、前記隆起した面の少なくとも一部の上方に位置付けられ、それによって、前記アーチ型コンパートメントは、前記組織サンプル進入ポートの下にある前記それぞれの組織貯蔵コンパートメントの中に飛散する液体から遮断される、項目１−９のいずれかに記載の組織保持器アセンブリ。
（項目１１）
前記１つ以上の真空管腔は、前記組織サンプル進入ポートの下に位置する第１の真空ポートと連通している第１の真空管腔と、前記第１の真空ポートから円周方向に間隔を置かれた第２の真空ポートと連通している第２の真空管腔とを備えている、項目１−１０のいずれかに記載の組織保持器アセンブリ。
（項目１２）
前記第２の真空ポートは、前記第１の真空ポートから１８０°または約１８０°間隔を置かれている、項目１１に記載の組織保持器アセンブリ。
（項目１３）
生検デバイスから切断された組織サンプルを受け取り、撮像するために構成された組織保持器アセンブリであって、前記組織保持器アセンブリは、
基部と、
前記基部上に取り外し可能に取り付いているカバーであって、前記基部および取り付けられたカバーは、内部を画定し、前記基部は、前記基部におけるそれぞれの真空ポートを介して前記内部と連通している１つ以上の真空管腔を有する、カバーと、
前記内部に配置された組織トレイと
を備え、
前記組織トレイは、複数の組織貯蔵コンパートメントを有し、前記組織トレイの底部は、フィルタ材料を備え、前記フィルタ材料は、前記それぞれの組織貯蔵コンパートメント内の流体が前記フィルタ材料を通過することを可能にし、
前記カバーは、前記カバーにおいて形成された組織サンプル進入ポートを有し、前記組織サンプル進入ポートは、前記カバーが前記基部に取り付けられたとき、前記組織サンプル進入ポートを通して吸引された切断された組織サンプルおよび流体を前記組織サンプル進入ポートの下に位置付けられた前記組織トレイのそれぞれの組織貯蔵コンパートメントの中に向かわせるように構成され、
前記カバーの内側は、開放アーチ型コンパートメントを備え、前記開放アーチ型コンパートメントは、前記カバーが前記基部に固定されたとき、前記隆起した面の上方に位置付けられており、それによって、前記アーチ型コンパートメントは、前記組織サンプル進入ポートの下にある前記それぞれの組織貯蔵コンパートメントの中に飛散する液体から遮断される、組織保持器アセンブリ。
（項目１４）
前記組織保持器アセンブリは、前記アーチ型コンパートメントが少なくとも部分的に撮像器の撮像フィールド内に位置するように、前記撮像器上またはその中に搭載されるように構成されている、項目１３に記載の組織保持器アセンブリ。
（項目１５）
前記組織貯蔵コンパートメントは、前記組織トレイの円周の周囲に角度を形成して配置されている、項目１３または１４に記載の組織保持器アセンブリ。
（項目１６）
前記組織トレイは、駆動部材上に取り外し可能に据えられ、前記基部の底部部材と直交または実質的に直交する軸周りに前記駆動部材によって選択的に回転させられるように構成されている、項目１３−１５のいずれかに記載の組織保持器アセンブリ。
（項目１７）
前記１つ以上の真空管腔は、前記組織サンプル進入ポートの下に位置する第１の真空ポートと連通している第１の真空管腔と、前記第１の真空ポートから円周方向に間隔を置かれた第２の真空ポートと連通している第２の真空管腔とを備えている、項目１３−１６のいずれかに記載の組織保持器アセンブリ。
（項目１８）
前記第２の真空ポートは、前記第１の真空ポートから１８０°または約１８０°間隔を置かれている、項目１７に記載の組織保持器アセンブリ。
（項目１９）
生検デバイスから切断された組織サンプルを受け取り、撮像するために構成された組織保持器アセンブリであって、前記組織保持器アセンブリは、
基部と、
前記基部上に取り外し可能に取り付いているカバーであって、前記基部および取り付けられたカバーは、内部を画定し、前記基部は、前記基部におけるそれぞれの真空ポートを介して前記内部と連通している１つ以上の真空管腔を有する、カバーと、
前記内部に配置された組織トレイと
を備え、
前記組織トレイは、複数の組織貯蔵コンパートメントを有し、
前記カバーは、前記カバーにおいて形成された組織サンプル進入ポートを有し、前記組織サンプル進入ポートは、前記カバーが前記基部に取り付けられたとき、前記組織サンプル進入ポートを通して吸引された切断された組織サンプルおよび流体を組織サンプル進入ポートの下に位置付けられた前記組織トレイのそれぞれの組織貯蔵コンパートメントの中に向かわせるように構成され、
前記基部は、前記カバーが前記基部に取り付けられたとき、前記組織サンプル進入ポートの下にある前記組織トレイの少なくとも一部の下にある隆起した流体除去リザーバを備え、前記組織トレイの底部は、流体が前記それぞれの組織貯蔵コンパートメントから前記流体除去リザーバの中に通過することを可能にするフィルタ材料を備えている、組織保持器アセンブリ。
（項目２０）
前記流体除去リザーバは、前記組織トレイの前記フィルタ材料に接触するリザーバ流体を保持するように構成されている、項目１９に記載の組織保持器アセンブリ。
（項目２１）
前記組織トレイの底部および前記流体除去リザーバは、互いに対して配置され、流路がそれらの間に形成されるように構成されている、項目１９または２０に記載の組織保持器アセンブリ。
（項目２２）
前記組織保持器アセンブリは、前記流体除去リザーバが前記撮像器の撮像フィールドから円周方向に間隔を置かれるように、前記撮像器上またはその中に搭載されるように構成されている、項目１９−２１のいずれかに記載の組織保持器アセンブリ。
（項目２３）
生検デバイスから切断された組織サンプルを受け取り、撮像するために構成された組織保持器アセンブリであって、前記組織保持器アセンブリは、
底部部材と、前記底部部材から上向きに延びている円筒形側壁とを備えている基部と、
前記基部の前記円筒形側壁上に取り外し可能に取り付いているカバーであって、前記基部および取り付けられたカバーは、内部を画定し、前記基部は、前記基部の前記側壁および／または底部部材におけるそれぞれの真空ポートを介して前記内部と連通している１つ以上の真空管腔を有する、カバーと、
前記内部に配置された組織トレイと
を備え、
前記組織トレイは、複数の組織貯蔵コンパートメントを有し、前記組織トレイの底部は、フィルタ材料を備え、前記フィルタ材料は、前記それぞれの組織貯蔵コンパートメント内の流体が前記フィルタ材料を通過することを可能にし、
前記カバーは、前記カバーにおいて形成された組織サンプル進入ポートを有し、前記組織サンプル進入ポートは、前記カバーが前記基部に取り付けられたとき、前記組織サンプル進入ポートを通して吸引された切断された組織サンプルおよび流体を前記組織サンプル進入ポートの下に位置付けられた前記組織トレイのそれぞれの組織貯蔵コンパートメントの中に向かわせるように構成され、
前記基部の前記底部部材は、前記組織トレイの前記底部に対して傾斜し、前記基部の前記底部部材は、前記組織サンプル進入ポートから円周方向にオフセットされた場所におけるより、前記組織サンプル進入ポートの下にある場所において前記組織トレイの底部に近接している、組織保持器アセンブリ。
（項目２４）
生検デバイスから切断された組織サンプルを受け取り、撮像するために構成された組織保持器アセンブリであって、前記組織保持器アセンブリは、
基部と、
前記基部上に取り外し可能に取り付いているカバーであって、前記基部および取り付けられたカバーは、内部を画定し、前記基部は、前記基部におけるそれぞれの真空ポートを介して前記内部と連通している１つ以上の真空管腔を有する、カバーと、
前記内部に取り外し可能に配置された組織トレイと
を備え、
前記組織トレイは、複数の組織貯蔵コンパートメントを有し、前記組織トレイの底部は、フィルタ材料を備え、前記フィルタ材料は、前記それぞれの組織貯蔵コンパートメント内の流体が前記フィルタ材料を通過することを可能にし、前記組織トレイは、前記基部およびカバーに対して回転するように構成され、
前記基部の前記底部部材と前記組織トレイの前記底部との間に固定して位置付けられた流体除去部材をさらに備え、前記流体除去部材は、前記組織トレイが前記流体除去部材の上で回転するとき、前記組織貯蔵コンパートメントから前記フィルタ材料を通過する流体を除去するように構成されている、組織保持器アセンブリ。
（項目２５）
前記流体除去部材は、前記フィルタ材料に接触し、組織トレイが前記流体除去部材の上で回転するとき、前記フィルタ材料内に凝集して保持されている流体を物理的に押しのける上面を有する、項目２４に記載の組織保持器アセンブリ。
（項目２６）
前記流体除去部材は、疎水性材料を備えている、項目２４または２５に記載の組織保持器アセンブリ。
（項目２７）
前記流体除去部材は、親水性材料を備えている、項目２４または２５に記載の組織保持器アセンブリ。
（項目２８）
前記流体除去部材は、親水性であり、前記流体除去部材は、前記フィルタ材料に近接して位置するが前記フィルタ材料に接触していない上面を有し、それによって、前記フィルタ材料内に凝集して保持されている流体は、前記組織トレイが前記流体除去部材の上で回転するとき、ウィッキング作用を通して吸収される、項目２４に記載の組織保持器アセンブリ。
（項目２９）
前記流体除去部材は、前記流体除去部材の中間部分が前記流体除去部材のそれぞれの端部部分より前記組織トレイのフィルタ材料に近接するように、弓形上面を有する、項目２８に記載の組織保持器アセンブリ。
（項目３０）
前記流体除去部材は、平坦な上面を有し、それによって、前記流体除去部材の前記上面は、前記組織トレイのフィルタ材料から実質的に均一な距離である、項目２８に記載の組織保持器アセンブリ。
（項目３１）
生検デバイスから切断された組織サンプルを受け取り、撮像するために構成された組織保持器アセンブリであって、前記組織保持器アセンブリは、
基部と、
前記基部上に取り外し可能に取り付いているカバーであって、前記基部および取り付けられたカバーは、内部を画定し、前記基部は、前記基部におけるそれぞれの真空ポートを介して前記内部と連通している１つ以上の真空管腔を有する、カバーと、
前記内部に配置された組織トレイと
を備え、
前記組織トレイは、底部と、前記底部から上向きに延びている円周側壁とを有し、前記組織トレイは、半径方向分割壁によって画定される複数の円周方向に配置された組織貯蔵コンパートメントを有し、前記組織トレイは、不浸透性材料から作製される底部を有し、各組織貯蔵コンパートメントは、前記底部が前記側壁に出会う場所に近接した前記底部において１つ以上の流体退出開口を有する、組織保持器アセンブリ。